(57)【要約】【課題】光の反射を利用して目視させる補助指標を、指針と独立して回動可能な指針計器を提供する。【解決手段】指針計器１は、回動可能な指針６と、円弧状と楕円弧状のいずれかの形状で配列され、指針６が指示する指標部３１と、光源８３と、指針状の形状を有し、光源８３の発した光を先端部６２１から出射する回動可能な導光ピン６２と、指標部３１と並行して配置され、導光ピン６２の先端部６２１からの出射光を目視側に反射して、指標部３１を補助する補助指標３３Ｂとして目視させる反射部４１とを備え、導光ピン６２の先端部６２１が反射部４１より内側で回動可能に構成されている。【選択図】図２
2009014623.tif 000002
【特許請求の範囲】
【請求項１】
回動可能な指針と、
円弧状と楕円弧状のいずれかの形状で配列され、前記指針が指示する指標部と、
光源と、
指針状の形状を有し、前記光源の発した光を先端部から出射する回動可能な導光ピンと、
前記指標部と並行して配置され、前記導光ピンの前記先端部からの出射光を目視側に反射して、前記指標部を補助する補助指標として目視させる反射部とを備え、
前記導光ピンの前記先端部が前記反射部より内側で回動可能に構成されていることを特徴とする指針計器。
【請求項２】
前記導光ピンの回転軸は、前記指針の回転軸と同軸であることを特徴とする請求項１に記載の指針計器。
【請求項３】
前記導光ピンは、前記指針の背後側に配置されていることを特徴とする請求項１または請求項２に記載の指針計器。
【請求項４】
所定の基準値を表す回動位置で前記導光ピンを固定していることを特徴とする請求項１ないし請求項３のいずれか一項に記載の指針計器。
【請求項５】
前記導光ピンは、前記指針の背後側に配置され、
前記導光ピンを隠蔽するように該導光ピンを前記指針と重ねつつ、該指針と同一速度で該導光ピンを回動させることを特徴とする請求項２に記載の指針計器。
【請求項６】
前記導光ピンの前記先端部と前記反射部の間に配置され、前記補助指標の形状の開口を有する遮光部材を備え、
前記反射部は、前記開口を透過した前記導光ピンの前記先端部からの出射光を、前記補助指標として目視させることを特徴とする請求項１ないし請求項５のいずれか一項に記載の指針計器。
【請求項７】
前記遮光部材は、前記指標部の背後側に配置され、
前記開口は、前記指標部の直下に配置されていることを特徴とする請求項６に記載の指針計器。
【発明の詳細な説明】
【技術分野】
【０００１】
本発明は、指標部を補助する補助指標を光の反射を利用して目視させる指針計器に関するものである。
【背景技術】
【０００２】
近年、車両の高機能化が進んで、表示する必要のある情報が増加しているため、情報を認識し易く表示する提案や実用化がなされている。その一つとして、光の反射を利用して補助指標を目視させる指針計器が開示されている（特許文献１を参照）。
【０００３】
これは、導入した照明光を先端部から出射させる指針と、目盛部と並行して配置された反射部とを備え、指針の先端部からの出射光を反射部が目視側に反射して、目盛部を補助する補助目盛として目視させる指針計器である。この補助目盛によって、指針の先端部と補助目盛の間で目盛部を目視可能なように構成しつつ、指針が指示している目盛部を認識し易くできる。即ち、情報を認識し易く表示できる。
【特許文献１】特許３４５７１４２号公報
【発明の開示】
【発明が解決しようとする課題】
【０００４】
しかし、特許文献１による指針計器では、指針の回動と補助目盛の回動とが一致するため、これを適用できる用途が限定される。
【０００５】
本発明は、このような事情を考慮してなされたものであり、光の反射を利用して目視させる補助指標を、指針と独立して回動可能な指針計器を提供することを目的とする。
【課題を解決するための手段】
【０００６】
本発明は上記目的を達成するため、以下の技術的手段を採用する。
【０００７】
請求項１に記載の指針計器は、回動可能な指針と、円弧状と楕円弧状のいずれかの形状で配列され、指針が指示する指標部と、光源と、指針状の形状を有し、光源の発した光を先端部から出射する回動可能な導光ピンと、指標部と並行して配置され、導光ピンの先端部からの出射光を目視側に反射して、指標部を補助する補助指標として目視させる反射部とを備え、導光ピンの先端部が反射部より内側で回動可能に構成されていることを特徴とする。
【０００８】
この構成では、導光ピンが、光源の発した光を先端部から出射させ、この先端部からの出射光を、反射部が目視側に反射して、補助指標として目視させる。これにより、光の反射を利用して補助指標を、目視させることができる。また、この構成では、導光ピンの先端部が反射部より内側で回動可能に構成される。これにより、導光ピンの回動位置にかかわらず、先端部からの出射光を、反射部へ導ける。したがって、光の反射を利用して目視させる補助指標を、導光ピンの回動によって回動させて目視させることができる。
【０００９】
また、この構成では、指針と独立して導光ピンを回動させることによって、補助指標を、指針と独立して回動させることが可能となる。
【００１０】
これらの結果、光の反射を利用して目視させる補助指標を、指針と独立して回動可能な指針計器を提供できる。
【００１１】
請求項２に記載の指針計器は、導光ピンの回転軸が、指針の回転軸と同軸であることを特徴とする。これにより、指針の回転軸から円周方向に向かって導光ピンから出射する光を、反射部が目視側に反射して補助指標として目視させる。このため、補助指標は、指針の回転軸から円周に向かう方向へ傾斜して目視される。したがって、指標部を補助する補助指標の機能を高めることができる。
【００１２】
請求項３に記載の指針計器は、導光ピンが、指針の背後側に配置されていることを特徴とする。これにより、導光ピンと指針のうちで導光ピンを覆い隠す構成を採ることが可能になる。
【００１３】
請求項４に記載の指針計器は、所定の基準値を表す回動位置で導光ピンを固定していることを特徴とする。これにより、基準値を表す補助指標と、指標部を指示する指針を関連付けて目視させることが可能になり、情報を認識し易く表示できる。
【００１４】
請求項５に記載の指針計器は、導光ピンが、指針の背後側に配置され、導光ピンを隠蔽するように導光ピンを指針と重ねつつ、指針と同一速度で導光ピンを回動させることを特徴とする。これにより、導光ピンを隠蔽して指針と同一速度で且つ同一位置で補助指標を回動させることができる。このため、導光ピンを目視させないで指針の回動を強調して表示できる。
【００１５】
請求項６に記載の指針計器は、導光ピンの先端部と反射部の間に配置され、補助指標の形状の開口を有する遮光部材を備え、反射部が、開口を透過した導光ピンの先端部からの出射光を、補助指標として目視させることを特徴とする。このため、簡易な構成により、種々の形状で補助指標を目視させることができる。
【００１６】
請求項７に記載の指針計器は、遮光部材が、指標部の背後側に配置され、開口が、指標部の直下に配置されていることを特徴とする。この構成では、開口が、指標部の直下に配置されているため、補助指標は、指標部と同一の回動位置でのみ目視され、それ以外の回動位置では目視されない。したがって、指標部と並行して回動する補助指標を、指標部と対応させて表示と非表示の間で変化させることが可能になり、指標部と補助指標の回動位置関係を強調して表示できる。
【発明を実施するための最良の形態】
【００１７】
以下、本発明による指針計器を、自動車に搭載される速度計に適用した場合を例に図面に基づいて説明する。
【００１８】
（第１実施形態）
指針計器である速度計１は、運転席前方に配置され、図１に示すように、指針６と、文字部２１と指標部である目盛部３１と、目盛部３１を補助する補助指標である第１補助指標３３Ｂとによって、自車両の車速を表示する。第１補助指標３３Ｂは、指針６の回動にしたがって、指針６と同一の回動位置で一緒に回動する。後述するように、第１補助指標３３Ｂは、目盛部３１と同一の回動位置でのみ目視され、目盛部３１と目盛部３１の間の回動位置では目視されないように構成される。
【００１９】
文字部２１は、文字部２１が透光状態になるように、文字部２１の背景部分が不透光状態になるように、円弧状で透光性樹脂からなる第１リング部材２に印刷等により形成される。文字部２１を透過照明する発光ダイオード８２は、図２に示すように、第１リング部材２の背後に配置され、発光ダイオード８２の発した光は、光路Ｐ１に従って、文字部２１を透過照明し、文字部２１を発光表示させる。
【００２０】
円弧状に配列された目盛部３１は、断面が凹形状で円弧状の遮光部材である第２リング部材３に設けられ、第２リング部材３は、例えば黒色に調整されたアクリロニトリル・ブタジエン・スチレン（ＡＢＳ）樹脂等から形成される。目盛部３１は、透光性を有するアクリル樹脂等から形成され、目盛部３１の一部が第２リング部材３から露出するように第２リング部材３に固定される。透明なアクリル樹脂等から形成された導光体３２は、目盛部３１の背後で第２リング部材３に固定され、発光ダイオード８１からの光を光路Ｐ２に従って目盛部３１に導く。導光体３２が導いた発光ダイオード８１からの光は、目盛部３１を透過照明し、目盛部３１を発光表示させる。
【００２１】
尚、発光ダイオード８１、８２は、プリント基板１０に実装され、これらの光は、第１ケース９に導かれて、それぞれ、文字部２１と目盛部３１を透過照明する。
【００２２】
速度計１は、指針６と、目盛部３１に加えて、光源である発光ダイオード８３と、導光ピンである第１導光ピン６２と、反射部である第１反射部４１とを備える。
【００２３】
第１導光ピン６２は、例えば直径が３ｍｍのピン形状を有し、透明なアクリル樹脂等から形成される。また、第１導光ピン６２は、第１ムーブメント７によって指針６と独立して回動可能に構成され、第１導光ピン６２の回転軸が指針６の回転軸と同軸となるように構成される。
【００２４】
具体的に、第１ムーブメント７は、回転軸が同一である指針シャフト７１と第１シャフト７２を、外部からの電気信号に対応した角度だけ、それぞれ独立して回動できるように、例えば交差コイル式アクチュエータ、あるいはステッピングモータ等から構成される。第１ムーブメント７は、プリント基板１０に実装される。
【００２５】
指針６と発光ダイオード８は、指針シャフト７１の先端側に固定され、発光ダイオード８は、第１ムーブメント７を介してプリント基板１０に電気的に接続される。発光ダイオード８からの光を、光路Ｐ４に従って指針６を通して目視側に導き、指針６を発光表示させるように構成される。また、発光ダイオード８が目視側へ直接露光しないように、指針６の回転軸側の目視側に、遮光キャップ６１を設ける。
【００２６】
第１導光ピン６２と発光ダイオード８３は、第１シャフト７２の先端側に固定され、発光ダイオード８３は、第１ムーブメント７を介してプリント基板１０に電気的に接続される。第１導光ピン６２は、光路Ｐ３に従って、発光ダイオード８３の発した光を、第１導光ピン６２の回転軸側より導入して第１導光ピン６２の先端部６２１から、後述する第１反射部４１へ出射させる。また、図１と図２に示すように、第１導光ピン６２の先端部６２１が第１反射部４１より内側で回動可能に構成される。これにより、第１導光ピン６２の回動位置にかかわらず、発光ダイオード８３の発した光を、即ち、先端部６２１からの出射光を、第１反射部４１へ導ける。
【００２７】
本実施形態においては、第１ムーブメント７は、車速信号に対応した角度だけ指針シャフト７１と第１シャフト７２を回動させるように構成され、第１導光ピン６２を、指針６の回転軸と同軸で指針６と同一速度で回動させる。また、第１導光ピン６２は、指針６の背後側に配置され、第１導光ピン６２を隠蔽するように第１導光ピン６２を指針６と重ねつつ、指針６と同一速度で第１導光ピン６２を回動させる。
【００２８】
円弧状の第１反射部４１は、目盛部３１の外周側に目盛部３１と並行して配置され、第１導光ピン６２の先端部６２１からの出射光を目視側に反射して、第１補助指標３３Ｂとして目視させる。第１反射部４１は、鏡面状の反射特性を有し、円弧状の第３リング部材４に例えばアルミニウム薄膜として形成される。第１導光ピン６２が導いた発光ダイオード８３からの光を第１反射部４１が光路Ｐ３に従って目視側に反射できるように、第１反射部４１を目視方向に対して略４５度で傾斜させて形成する。具体的には、断面を４５度傾斜させて形成した第３リング部材４上に、第１反射部４１を形成する。
【００２９】
第２リング部材３は、図３と図４に示すように、第１導光ピン６２の先端部６２１と第１反射部４１の間であって目盛部３１の背後側に配置され、開口である第１開口３３を有する。第１開口３３は、目盛部３１の直下に配置され、図３に示すように、目盛部３１の直下において第１開口３３と第２開口３４を第２リング部材３に形成し、この間に導光体３２を配置する。一方、図４に示すように、目盛部３１の直下でない部分では、目盛部３１と導光体３２を配置しないで、第１開口３３と第２開口３４を第２リング部材３に形成しない。
【００３０】
目盛部３１の直下においては、図３に示すように、第１導光ピン６２の先端部６２１からの出射光は、光路Ｐ３に従って、第２リング部材３に形成されている第２開口３４と第１開口３３とを通して導光体３２によって第１反射部４１に導かれる。第１開口３３は、図１に示す第１補助指標３３Ｂの形状を有し、第１開口３３を透過した第１導光ピン６２の先端部６２１からの出射光は、第１補助指標３３Ｂの形状を有する補助指標像３３Ａを形成する。第１反射部４１は、補助指標像３３Ａの光を、目視側に反射して、目盛部３１を補助する第１補助指標３３Ｂ（虚像）として目視させる。
【００３１】
このため、第１開口３３という簡易な構成により、種々の形状で第１補助指標３３Ｂを目視させることが可能になる。
【００３２】
一方、目盛部３１の直下でない部分では、即ち、目盛部３１と目盛部３１の間の下側部分では、図４に示すように、第１導光ピン６２の先端部６２１からの出射光は、光路Ｐ５に従って、第２リング部材３で遮蔽されて、第１反射部４１に導かれない。このため、第１補助指標３３Ｂは、目視されない。
【００３３】
これらの結果、図１において、第１補助指標３３Ｂは、指針６が目盛部３１を指示している際、第１補助指標３３Ｂが目視されるが、指針６が目盛部３１を指示していない際、即ち、指針６が目盛部３１と目盛部３１の間を指示している際、第１補助指標３３Ｂが目視されない。これにより、指針６と同一の回動をする第１補助指標３３Ｂによって、指針６の回動を強調して表示できると共に、目盛部３１と並行して回動する第１補助指標３３Ｂを、目盛部３１と対応させて表示と非表示の間で変化させることが可能になり、目盛部３１と第１補助指標３３Ｂの回動位置関係を強調して表示できる。即ち、速度計１を注視しなくても、車速を認識することが可能となり、車速を認識し易く表示できる。
【００３４】
また、第１反射部４１が目盛部３１と並行して配置されているため、第１補助指標３３Ｂは、目盛部３１と並行して回動する。これにより、第１補助指標３３Ｂは、目盛部３１を補助する第１補助指標３３Ｂの機能を高めることができる。
【００３５】
尚、第１補助指標３３Ｂと、指針６の発光表示と、文字部２１の発光表示と、目盛部３１の発光表示は、透明カバー１３を通して目視されるように構成される。また、第１リング部材２と、第２リング部材３と、第３リング部材４と、第１ケース９は、接着剤や引っ掛けや溶着等により互いに固定され、これらと、プリント基板１０と、透明カバー１３は、第２ケース１２に固定される。
【００３６】
図５に示すように、マイクロコンピュータ等から構成される制御装置１１には、当該自動車の車速を検出する速度センサ１４が、その信号を入力可能に接続され、速度センサ１４からの検出信号に応じて制御装置１１によって制御される第１ムーブメント７や、発光ダイオード８，８１−８３が、制御装置１１に接続される。
【００３７】
上述したように構成された本発明の第１実施形態による速度計１の作動について説明する。
【００３８】
図示しないイグニッションスイッチがオンされると、図５において、制御装置１１は、それを検出して作動を開始する。即ち、制御装置１１は、速度センサ１４からの信号に基づき、車速を算出し、これに対応した角度だけ指針シャフト７１と第１シャフト７２を回動させるように、第１ムーブメント７を制御する。又、この時、制御装置１１は、発光ダイオード８，８１−８３を点燈させる。
【００３９】
点燈した発光ダイオード８２からの光は、図２において、光路Ｐ１に従って、文字部２１を透過照明し、文字部２１を発光表示させる。また、点燈した発光ダイオード８１からの光は、光路Ｐ２に従って、目盛部３１を透過照明して目盛部３１を発光表示させ、点燈した発光ダイオード８からの光は、光路Ｐ４に従って、指針６を発光表示させる。
【００４０】
第１ムーブメント７の制御によって、図１に示すように、指針６と第１導光ピン６２が目盛部３１を指示している場合、図３に示す配置関係になる。即ち、第１導光ピン６２は、光路Ｐ３に従って、発光ダイオード８３の発した光を、第１導光ピン６２の回転軸側より導入して第１導光ピン６２の先端部６２１から第１反射部４１へ出射させる。第１導光ピン６２の先端部６２１からの出射光は、第２開口３４と第１開口３３とを通して導光体３２によって第１反射部４１に導かれ、補助指標像３３Ａを形成する。第１反射部４１は、補助指標像３３Ａの光を、目視側に反射して、目盛部３１を補助する第１補助指標３３Ｂ（虚像）として目視させる。
【００４１】
即ち、先端部６２１が第１反射部４１より内側で回動可能な第１導光ピン６２が、発光ダイオード８３の発した光を回転軸側より導入して先端部６２１から、第１反射部４１へ出射させる。また、この出射光を、第１反射部４１が目視側に反射して、第１補助指標３３Ｂとして目視させる。したがって、回動可能な第１補助指標３３Ｂを光の反射を利用して目視させることができる。
【００４２】
一方、第１ムーブメント７の制御によって、指針６と第１導光ピン６２が目盛部３１を指示していない場合、即ち、指針６と第１導光ピン６２が目盛部３１と目盛部３１の間を指示している場合、図４に示す配置関係になる。この場合、第１導光ピン６２の先端部６２１からの出射光は、光路Ｐ５に従って、第２リング部材３で遮蔽されて、第１反射部４１に導かれない。このため、第１補助指標３３Ｂは、目視されない。
【００４３】
これらの結果、図１に示すように、第１補助指標３３Ｂは、指針６が目盛部３１を指示している際、第１補助指標３３Ｂが目視されるが、指針６が目盛部３１を指示していない際、即ち、指針が目盛部３１と目盛部３１の間を指示している際、第１補助指標３３Ｂが目視されない。つまり、第１補助指標３３Ｂを、目盛部３１と対応させて表示と非表示の間で変化させるため、目盛部３１と第１補助指標３３Ｂの回動位置関係を強調して表示できる。
【００４４】
これにより、指針６と同一の回動をする第１補助指標３３Ｂによって、指針６の回動を強調して表示できると共に、目盛部３１と第１補助指標３３Ｂの回動位置関係を強調して表示できる。したがって、速度計１を注視しなくても、車速を認識することができ、車速を認識し易く表示できる。
【００４５】
また、第１反射部４１が目盛部３１と並行して配置されているため、第１補助指標３３Ｂは、目盛部３１と並行して回動する。これにより、第１補助指標３３Ｂは、目盛部３１を補助する第１補助指標３３Ｂの機能を高めることができる。
【００４６】
また、指針６の背後側において指針６と同一速度で且つ同一位置で第１導光ピン６２を回動させるため、第１導光ピン６２を目視させないで指針６の回動を強調して表示できる。
【００４７】
また、第１開口３３という簡易な構成により、種々の形状で第１補助指標３３Ｂを目視させることが可能になる。
【００４８】
また、第１導光ピン６２の回転軸が指針６の回転軸と同軸であるため、図１において、指針６の回転軸から円周方向に向かって、即ち、指針６の回転軸から指針６が伸長する方向に沿って、第１導光ピン６２から出射する光を、第１反射部４１が目視側に反射して第１補助指標３３Ｂとして目視させる。このため、第１補助指標３３Ｂは、指針の回転軸から円周に向かう方向へ傾斜して、即ち、指針６の回転軸から指針６が伸長する方向に沿って傾斜して、目視される。例えば、指針６と第１導光ピン６２が、数字「４０」の文字部２１に対応する目盛部３１を指示している場合、この目盛部３１と同様の傾斜で第１補助指標３３Ｂを目視させることができる。したがって、目盛部３１を補助する第１補助指標３３Ｂの機能を高めることができる。
【００４９】
尚、上述の例では、指針６と第１導光ピン６２を連動させて回動させたが、第１ムーブメント７が指針シャフト７１と第１シャフト７２を、それぞれ独立して回動できるため、第１補助指標３３Ｂを、指針６と独立して回動させることができる。これにより、後述するように、種々の用途に、本発明を適用できる。
【００５０】
以上説明した本発明の第１実施形態による指針計器である速度計１は、回動可能な指針６と、円弧状と楕円弧状のいずれかの形状で配列され、指針６が指示する指標部である目盛部３１と、光源である発光ダイオード８３と、指針状の形状を有し、発光ダイオード８３の発した光を先端部６２１から出射する回動可能な導光ピンである第１導光ピン６２と、目盛部３１と並行して配置され、第１導光ピン６２の先端部６２１からの出射光を目視側に反射して、目盛部３１を補助する補助指標である第１補助指標３３Ｂとして目視させる反射部である第１反射部４１とを備え、第１導光ピン６２の先端部６２１が第１反射部４１より内側で回動可能に構成されている。
【００５１】
これにより、光の反射を利用して目視させる補助指標を、指針と独立して回動可能な指針計器を提供できる。
【００５２】
（第２実施形態）
本実施形態による速度計１００では、図６において、第１補助指標３３Ｂを所定の基準値であるオートクルーズコントロール（ＡＣＣ）設定値として固定して目視させる。このＡＣＣ設定値は、高速道路等で一定の車間距離を保持する制御等を行うオートクルーズコントロールにおいて、自車両と前走車の車間距離の設定値である。
【００５３】
第１実施形態と同様に、指針６の背後側に第１導光ピン６２を配置しているが、図６に示すように、指針６の回動位置と第１導光ピン６２の回動位置が異なる場合、第１導光ピン６２を指針６によって覆い隠すことができない。このため、第１導光ピン６２と指針６のうちで、第１導光ピン６２を覆い隠す遮光部３５を設けている。遮光部３５は、図７に示すように、第２リング部材３と一体的に樹脂成形により形成される。
【００５４】
尚、第１導光ピン６２からの出射光を、光路Ｐ３に従って、第１反射部４１が目視側に反射して、第１補助指標３３Ｂとして目視させる構成は、第１実施形態と同様であるため、この説明を省略する。
【００５５】
速度計１００は、液晶表示器１５を備え、液晶表示器１５は、図６に示すように、上側でＡＣＣ設定値をデジタル表示し、下側で指針６が指示する車速をデジタル表示する。液晶表示器１５は、図７に示すように、プリント基板１０の背後に配置され、プリント基板１０と遮光部３５に形成された図示しない開口を通して、ＡＣＣ設定値と車速の各デジタル表示を目視させる。
【００５６】
上述したように、第１ムーブメント７は、指針シャフト７１と第１シャフト７２を、それぞれ独立して回動できるため、制御装置１１は、第１ムーブメント７を制御して、指針シャフト７１と第１シャフト７２を、それぞれ独立して回動させる。具体的に、ＡＣＣ設定値を表す回動位置に第１導光ピン６２を固定するように第１シャフト７２を回動させて固定し、速度センサ１４からの信号に基づいて指針シャフト７１を回動させる。
【００５７】
これにより、ＡＣＣ設定値を表す第１補助指標３３Ｂと、目盛部３１を指示する指針６を関連付けて目視させることが可能になり、これらを認識し易く表示できる。
【００５８】
尚、ＡＣＣ設定値を切り替える図示しない設定スイッチを設け、設定スイッチによってＡＣＣ設定値を切り替える毎に、制御装置１１は、この切替信号を受けて第１ムーブメント７を制御する。即ち、この切替信号が表すＡＣＣ設定値の回動位置に第１導光ピン６２を固定するように第１シャフト７２を回動させて固定する。これにより、設定スイッチによって切り替えたＡＣＣ設定値を、第１補助指標３３Ｂとして目視させることができる。
【００５９】
（第３実施形態）
本実施形態による速度計２００では、図８において、第１実施形態と同様に、第１補助指標３３Ｂを指針６と同一の回動位置で一緒に回動させ、且つ、第２実施形態と同様に、補助指標である第２補助指標５１Ａを所定の基準値であるオートクルーズコントロール（ＡＣＣ）設定値として固定して目視させる。速度計２００は、図２に示した第１実施形態の速度計１に対して、図９に示すように、光源である発光ダイオード８４と、反射部である第２反射部５１と、導光ピンである第２導光ピン６３とを追加して備える。
【００６０】
第２導光ピン６３は、例えば直径が３ｍｍのピン形状を有し、透明なアクリル樹脂等から形成される。また、第２導光ピン６３は、第１ムーブメント７の代わりに第２ムーブメント１６によって指針６と第１導光ピン６２の両方と独立して回動可能に構成され、第２導光ピン６３の回転軸が指針６の回転軸と同軸となるように構成される。
【００６１】
第２ムーブメント１６は、図９において、回転軸が同一である指針シャフト７１と第１シャフト７２と第２シャフト７３とを、外部からの電気信号に対応した角度だけ、それぞれ独立して回動できるように、例えば交差コイル式アクチュエータ、あるいはステッピングモータ等から構成される。第２ムーブメント１６は、プリント基板１０に実装される。
【００６２】
第２導光ピン６３と発光ダイオード８４は、第２シャフト７３の先端側に固定され、発光ダイオード８４は、第２ムーブメント１６を介してプリント基板１０に電気的に接続される。第２導光ピン６３は、光路Ｐ６に従って、発光ダイオード８４の発した光を、第２導光ピン６３の回転軸側より導入して第２導光ピン６３の先端部６３１から、後述する第２反射部５１へ出射させる。また、図８と図９に示すように、第２導光ピン６３の先端部６３１が第２反射部５１より内側で回動可能に構成される。これにより、第２導光ピン６３の回動位置にかかわらず、発光ダイオード８４の発した光を、即ち、先端部６３１からの出射光を、第２反射部５１へ導ける。
【００６３】
本実施形態においては、第２ムーブメント１６は、車速信号に対応した角度だけ指針シャフト７１と第１シャフト７２を回動させるように構成され、ＡＣＣ設定値を表す回動位置に第２導光ピン６３を固定するように第２シャフト７３を回動させて固定する。また、第１導光ピン６２は、指針６の背後側に配置され、第２導光ピン６３は、第１導光ピン６２より背後側に配置される。
【００６４】
尚、指針シャフト７１と指針６と発光ダイオード８の組み付け構成、第１シャフト７２と第１導光ピン６２と発光ダイオード８３の組み付け構成、および、光路Ｐ３に従って第１補助指標３３Ｂを目視させる構成は、第１実施形態と同様であるため、これらの説明を省略する。
【００６５】
円弧状の第２反射部５１は、目盛部３１の内周側に目盛部３１と並行して配置され、第２導光ピン６３が導いた発光ダイオード８４からの光を、第２補助指標５１Ａとして第２反射部５１上に投影させるものである。即ち、第１反射部４１が虚像の第１補助指標３３Ｂを目視させるのに対して、第２反射部５１は、実像の第２補助指標５１Ａを目視させる。具体的に、第２反射部５１は、円弧状の第４リング部材５に、例えば、透明樹脂材に細かいガラス粉を混練させた塗布膜として形成される。
【００６６】
第２導光ピン６３が、発光ダイオード８４の発した光を、回転軸側より導入して先端部６３１から第２反射部５１へ出射させ、第２反射部５１が、第２導光ピン６３の先端部６３１からの出射光を目視側に反射して、目盛部３１を補助する第２補助指標５１Ａとして目視させる。
【００６７】
これにより、第１実施形態のように指針６の回動を強調して表示させる第１補助指標３３Ｂに加えて、第２実施形態のようにＡＣＣ設定値を第２補助指標５１Ａとして目視させることができる。
【００６８】
尚、第１反射部４１が実像の第１補助指標を目視させ構成とすることも可能であり、反対に、第２反射部５１が虚像の第２補助指標を目視させる構成とすることも可能である。この場合、第１反射部４１を、例えば、透明樹脂材に細かいガラス粉を混練させた塗布膜として形成し、第２反射部５１を、鏡面状の反射特性を有するように、例えばアルミニウム薄膜として形成する。
【００６９】
尚、上述の例では、指針６と第１導光ピン６２を連動させて回動させたが、第２ムーブメント１６が指針シャフト７１と第１シャフト７２と第２シャフト７３を、それぞれ独立して回動できるため、指針６と第１補助指標３３Ｂと第２補助指標５１Ａとを、互いに独立して回動させることができる。即ち、互いに独立して回動させることができる第１補助指標３３Ｂと第２補助指標５１Ａの両方を、指針６と独立して回動させることができる。これにより、種々の用途に、本発明を適用できる。
【００７０】
図８と図９に示すように、第２導光ピン６３を、目視させる構成としているが、光ファイバーのようにそれ自体が発光しない導光部材として、ほとんど目視させない構成とすることも可能である。
【００７１】
（第４実施形態）
本実施形態による速度計３００は、上述の実施形態と異なり、図１０に示すように、第１導光ピン６２の回転軸６５が、指針６の回転軸６４と同軸でない構成を採っている。具体的には、先端部６２１が第１反射部４１より内側で回動可能に構成する。即ち、６５Ａの一点差線で示す第１導光ピン６２の先端部６２１の回動軌跡が第１反射部４１の内側になるように構成する。このため、回転軸６５が回転軸６４と同軸でない構成においても、先端部６２１からの出射光を、光路Ｐ７１，Ｐ７２，Ｐ７３に従って第１反射部４１に導くことが可能になり、第１導光ピン６２の回動によって第１補助指標３３Ｂ，３３Ｃ，３３Ｄとして回動させて目視させることができる。従って、本実施形態においても、上述の効果を得ることができる。
【００７２】
尚、上述の例では、目盛部３１と第１反射部４１と第２反射部５１とを円弧状に設けたが、これに限らない。これらを、例えば、楕円弧状に設けることも可能である。
【００７３】
尚、上述した例に限らないで、これらの組み合わせや、他の種々の変形例が考えられる。
【図面の簡単な説明】
【００７４】
【図１】図１は、本発明の第１実施形態による指針計器である速度計１の正面図である。
【図２】図２は、図１中のＩＩ−ＩＩ線断面図である。
【図３】図３は、図２中のＩＩＩ部の拡大断面図である。
【図４】図４は、第１導光ピン６２が目盛部３１を指示していない場合の拡大断面図である。
【図５】図５は、本発明の第１実施形態による速度計１の電気回路構成を説明する回路構成図である。
【図６】図６は、本発明の第２実施形態による指針計器である速度計１００の正面図である。
【図７】図７は、図６中のＶＩＩ−ＶＩＩ線断面図である。
【図８】図８は、本発明の第３実施形態による指針計器である速度計２００の正面図である。
【図９】図９は、図８中のＩＸ−ＩＸ線断面図である。
【図１０】図１０は、本発明の第４実施形態による指針計器である速度計３００の模式的正面図である。
【符号の説明】
【００７５】
１，１００，２００，３００  速度計（指針計器）、２  第１リング部材
２１  文字部、３  第２リング部材（遮光部材）、３１  目盛部（指標部）
３２  導光体、３３  第１開口（開口）、３３Ａ  補助指標像
３３Ｂ  第１補助指標（補助指標）、３４  第２開口、３５  遮光部
４  第３リング部材、４１  第１反射部（反射部）、５  第４リング部材
５１  第２反射部（反射部）、５１Ａ  第２補助指標（補助指標）、６  指針
６１  遮光キャップ、６２  第１導光ピン（導光ピン）、６２１，６３１  先端部
６３  第２導光ピン（導光ピン）、６４，６５  回転軸、６５Ａ  回動軌跡
７  第１ムーブメント、７１  指針シャフト、７２  第１シャフト
７３  第２シャフト、８、８１、８２  発光ダイオード
８３  発光ダイオード（光源）、８４  発光ダイオード（光源）
９  第１ケース、１０  プリント基板、１１  制御装置、１２  第２ケース
１３  透明カバー、１４  速度センサ、１５  液晶表示器
１６  第２ムーブメント
【図１】
2009014623.tif 000003
【図２】
2009014623.tif 000004
【図３】
2009014623.tif 000005
【図４】
2009014623.tif 000006
【図５】
2009014623.tif 000007
【図６】
2009014623.tif 000008
【図７】
2009014623.tif 000009
【図８】
2009014623.tif 000010
【図９】
2009014623.tif 000011
【図１０】
2009014623.tif 000012